(57)【要約】【課題】スクリーンに適度で均一な張りを持たせた状態で、枠体に対して容易に装着することのできるスクリーン装置を提供する。【解決手段】開閉蓋３０の内面には蓋側ガイド部３３が突設され、固定枠１０内には枠側ガイド部１８がその先端部を上記正面側に向けて突設されている。開閉蓋３０で閉じて枠体６にスクリーン８を装着した状態において、スクリーン８の周縁部８ａ−８ｄが蓋側ガイド部３３と枠側ガイド部１８との間に挟まれると共に、蓋側ガイド部３３が、係止部材９に対してスクリーン８の周縁部８ａ−８ｄに連結された基端９ａ側から係合し、係止部材９をその先端側に向けて押圧している。【選択図】図３
2018111924.tif 000002
【特許請求の範囲】
【請求項１】
上下及び左右に対向配置された一対の縦枠及び横枠によって形成されていて、建物の窓枠に固定するための枠体と、該枠体の内側に張設された可撓性のスクリーンとを有するスクリーン装置であって、
上記一対の縦枠及び／又は一対の横枠は、その背面側の側壁を形成して上記窓枠に対して固定するための固定枠と、その正面側の側壁を形成して上記固定枠に対して軸周りに回動自在に支持された開閉蓋とにより構成されていて、上記スクリーンの周縁部をこれら固定枠と開閉蓋との間で保持するスクリーン保持枠を成しており、
上記スクリーン保持枠によって保持されたスクリーンの周縁部には、該スクリーンよりも肉厚の係止部材が設けられており、
該開閉蓋の内面には、上記スクリーン保持枠の長さ方向に延びた蓋側ガイド部が、上記背面側に向けて立設され、上記固定枠内には、上記スクリーン保持枠の長さ方向に延びた枠側ガイド部が、上記正面側に向けて立設されており、
上記開閉蓋を閉じて枠体にスクリーンを装着した状態において、上記スクリーンの周縁部が、上記蓋側ガイド部と枠側ガイド部との間に挟まれると共に、上記蓋側ガイド部が、上記係止部材に対してスクリーンの周縁部に連結された基端側から係合することにより、該係止部材をその先端側に向けて押圧している、
ことを特徴とするスクリーン装置。
【請求項２】
上記蓋側ガイド部は、上記開閉蓋の内面から上記背面側に向けて水平に立設された基端片と、該基端片の先端部から上記枠体の外側に向けて垂直に延びた蓋側垂直ガイド片と、該蓋側垂直ガイド片から上記背面側に向けて水平に延びた蓋側水平ガイド片とによって形成され、
上記スクリーンの周縁部が、上記蓋側垂直ガイド片及び蓋側水平ガイド片と上記枠側ガイド部との間に挟まれている、
ことを特徴とする請求項１に記載のスクリーン装置。
【請求項３】
上記枠側ガイド部は、上記背面側の側壁の内面から水平方向に立設されたガイド部本体と、その先端部から上記枠体の外側に向けて垂直に延びた枠側垂直ガイド片とによって形成されており、
上記スクリーンの周縁部が、上記蓋側垂直ガイド片と上記枠側垂直ガイド片との間に挟まれると共に、該枠側垂直ガイド片の先端で上記ガイド部本体の基端部側に向けて折曲されている、
ことを特徴とする請求項２に記載のスクリーン装置。
【請求項４】
上記蓋側水平ガイド片の先端が、上記係止部材にその基端側から当接して該係止部材をその先端側に向けて押圧している、
ことを特徴とする請求項２又は３に記載のスクリーン装置。
【請求項５】
上記開閉蓋は、閉状態においては、上記開閉蓋と上記固定枠との間に架け渡されたバネ部材により閉方向に付勢され、開状態においては、上記バネ部材により開方向に付勢される、
ことを特徴とする請求項４に記載のスクリーン装置。
【請求項６】
上記蓋側水平ガイド片には係合突部が上記ガイド部本体側に向けて突設されており、該係合突部が、上記係止部材にその基端側から当接して該係止部材をその先端側に向けて押圧している、
ことを特徴とする請求項２又は３に記載のスクリーン装置。
【請求項７】
上記蓋側水平ガイド片の先端部には係止爪が上記ガイド部本体側に向けて設けられていて、該ガイド部本体には被係止突起が上記蓋側水平ガイド片側に向けて設けられており、上記係止爪が上記被係止突起に対して係脱自在に係合することにより、上記開閉蓋が閉状態に保持される、
ことを特徴とする請求項６に記載のスクリーン装置。
【発明の詳細な説明】
【技術分野】
【０００１】
本発明は、建物の開口部に取付けられる網戸等のスクリーン装置に関するものであり、具体的には、スクリーンを枠体に装着するにあたって、該スクリーンに張りを持たせた状態で装着することが可能なスクリーン装置に関するものである。
【背景技術】
【０００２】
従来から、この種のスクリーン装置としては、例えば、特許文献１や特許文献２に開示されたものが知られている。これらのスクリーン装置は、枠部材が矩形に組まれて成る枠体と、その枠部材に周縁部を係止されて枠体に装着されたスクリーンとから構成されている。そして、上記枠部材は、その本体部分と該本体部分に回動自在に支持された押え部材とを有しており、該押さえ部材を閉じて上記本体部分との間でスクリーンの周縁部を挟持させることによって、上記枠部材にスクリーンの周縁部を係止することができるようになっている。
【０００３】
ところで、スクリーン装置においてスクリーンを枠体に装着するにあたっては、スクリーンに適度な張力を付与した状態で枠部材に対して係止させる必要性があるが、上記従来のスクリーン装置において、それを実現するためには、上記枠部材の本体部分に対してスクリーンの周縁部を精度良く位置決めした状態で上記押え部材を閉じる必要性がある。しかしながら、このようなスクリーンの位置決め作業は必ずしも容易ではなく、ある程度の経験と熟練を必要とするものであった。
【先行技術文献】
【特許文献】
【０００４】
【特許文献１】特開２００６−１６９８４３号公報
【特許文献２】特開２０１０−０５３６７７号公報
【発明の概要】
【発明が解決しようとする課題】
【０００５】
本発明は上記事情に鑑みて為されたもので、その技術的課題は、スクリーンを、適度な張りを持たせた状態で、枠体に対して容易に装着することが可能なスクリーン装置を提供することにある。
【課題を解決するための手段】
【０００６】
上記目的を達成するため、本発明に係るスクリーン装置は、上下及び左右に対向配置された一対の縦枠及び横枠によって形成されていて、建物の窓枠に固定するための枠体と、該枠体の内側に張設された可撓性のスクリーンとを有するスクリーン装置であって、上記一対の縦枠及び／又は一対の横枠は、その背面側の側壁を形成して上記窓枠に対して固定するための固定枠と、その正面側の側壁を形成して上記固定枠に対して軸周りに回動自在に支持された開閉蓋とにより構成されていて、上記スクリーンの周縁部をこれら固定枠と開閉蓋との間で保持するスクリーン保持枠を成しており、上記スクリーン保持枠によって保持されたスクリーンの周縁部には、該スクリーンよりも肉厚の係止部材が設けられており、該開閉蓋の内面には、上記スクリーン保持枠の長さ方向に延びた蓋側ガイド部が、上記背面側に向けて立設され、上記固定枠内には、上記スクリーン保持枠の長さ方向に延びた枠側ガイド部が、上記正面側に向けて立設されており、上記開閉蓋を閉じて枠体にスクリーンを装着した状態において、上記スクリーンの周縁部が、上記蓋側ガイド部と枠側ガイド部との間に挟まれると共に、上記蓋側ガイド部が、上記係止部材に対してスクリーンの周縁部に連結された基端側から係合することにより、該係止部材をその先端側に向けて押圧していることを特徴とする。
【０００７】
このとき、好ましくは、上記蓋側ガイド部は、上記開閉蓋の内面から上記背面側に向けて水平に立設された基端片と、該基端片の先端部から上記枠体の外側に向けて垂直に延びた蓋側垂直ガイド片と、該蓋側垂直ガイド片から上記背面側に向けて水平に延びた蓋側水平ガイド片とによって形成され、上記スクリーンの周縁部が、上記蓋側垂直ガイド片及び蓋側水平ガイド片と上記枠側ガイド部との間に挟まれている。
より好ましくは、上記枠側ガイド部は、上記背面側の側壁の内面から水平方向に立設されたガイド部本体と、その先端部から上記枠体の外側に向けて垂直に延びた枠側垂直ガイド片とによって形成されており、上記スクリーンの周縁部が、上記蓋側垂直ガイド片と上記枠側垂直ガイド片との間に挟まれると共に、該枠側垂直ガイド片の先端で上記ガイド部本体の基端部側に向けて折曲されている。
【０００８】
また、本発明に係るスクリーン装置の好ましい実施形態においては、上記蓋側水平ガイド片の先端が、上記係止部材にその基端側から当接して該係止部材をその先端側に向けて押圧している。
このとき、好ましくは、上記開閉蓋は、閉状態においては、上記開閉蓋と上記固定枠との間に架け渡されたバネ部材により閉方向に付勢され、開状態においては、上記バネ部材により開方向に付勢される。
【０００９】
さらに、本発明に係るスクリーン装置の好ましい他の実施形態においては、上記蓋側水平ガイド片には係合突部が上記ガイド部本体側に向けて突設されており、該係合突部が、上記係止部材にその基端側から当接して該係止部材をその先端側に向けて押圧している。
このとき、好ましくは、上記蓋側水平ガイド片の先端部には係止爪が上記ガイド部本体側に向けて設けられていて、該ガイド部本体には被係止突起が上記蓋側水平ガイド片側に向けて設けられており、上記係止爪が上記被係止突起に対して係脱自在に係合することにより、上記開閉蓋が閉状態に保持される。
【発明の効果】
【００１０】
本発明に係るスクリーン装置によれば、枠体のスクリーン保持枠が、建物の窓枠に固定するための固定枠と、該固定枠に対して回動により開閉自在に支持された開閉蓋とを有していて、該開閉蓋を閉じて上記枠体にスクリーンを装着した状態においては、該スクリーンの周縁部が、蓋側ガイド部と枠側ガイド部との間に挟まれると共に、該蓋側ガイド部が、スクリーンの周縁部に連結された係止部材に対してその基端側から係合することにより、該係止部材をその先端側に向けて押圧するように構成されている。そのため、スクリーンの周縁部を蓋側ガイド部と枠側ガイド部との間に配した状態で開閉蓋を閉じるという簡単な操作により、該スクリーンを、所定の適度な張力を付与した状態で、上記枠体に対して容易に装着することができる。
【図面の簡単な説明】
【００１１】
【図１】本発明の第１実施形態に係るスクリーン装置１Ａの概略的な正面図である。
【図２】窓枠に取り付けた状態における図１のスクリーン装置１Ａの概略的な縦断面図である。
【図３】図２の概略的な要部拡大図である。
【図４】窓枠に取り付けた状態における図１のスクリーン装置１Ａの概略的な横断面図である。
【図５】図１のスクリーン装置１Ａにおいて、スクリーン保持枠としての横枠からスクリーンが取り外された状態を示す概略的な斜視図である。
【図６】窓枠に取り付けた状態における図１のスクリーン装置１Ａにおいて、スクリーン保持枠としての横枠からスクリーンが取り外された状態を示す概略的な横断面図である。
【図７】図１のスクリーン装置１Ａにおいて、開閉蓋の開状態を示す概略的な要部拡大断面図である。
【図８】本発明の第２実施形態に係るスクリーン装置１Ｂを示しており、（ａ）は、開閉蓋の開状態を示す概略的な要部拡大断面図であり、（ｂ）は、開閉蓋の閉状態を示す概略的な要部拡大断面図である。
【発明を実施するための形態】
【００１２】
図１から図７に基づいて、本発明に係るスクリーン装置の第１実施形態について説明する。本実施形態のスクリーン装置１Ａは、上下方向に延びて対向配置された左右一対の第１及び第２縦枠２，３、及び左右方向に延びて対向配置された上下一対の第１及び第２横枠４，５によって略矩形に形成された枠体６と、この枠体６によって取り囲まれた内側の空間に張設された可撓性のスクリーン８とから構成されている。そして、図２に示すように、この枠体６の背面側（窓Ｗ側）が、すべり出し窓Ｗ等の窓枠Ｆに対して固定されるようになっている。
【００１３】
図４−図６に示すように、上記第１縦枠２には、枠体６の内側に向けて開口する第１枠溝１１が該縦枠２の長さ方向に延びるように形成されている。その一方で、第２縦枠３は、枠体６の内側に向けて開口する受け溝１２ａが長さ方向に形成された縦固定枠３ａと、上記受け溝１２ａに対して図示しない着脱機構により着脱可能に取り付けられた可動枠３ｂとにより構成されている。
【００１４】
また、上記縦固定枠３ａの受け溝１２ａは、適宜の固定部材により上記窓枠Ｆに対して固定される背面側（窓枠Ｆ側）の側壁と、この背面側の側壁よりも幅狭に形成されて該背面側の側壁と平行を成す正面側（室内側）の側壁とにより区画されている。そして、これら側壁により、該縦固定枠３ａには、その正面側から枠体６の内側に至る開口１２ｂが形成されており、この開口１２ｂを通じて受け溝１２ａ内に上記可動枠３ｂを出し入れすることができるようになっている。
【００１５】
上記可動枠３ｂには、枠体６の内側に向けて開口する第２枠溝１２ｃが長さ方向（上下方向）に形成されており、上記第１及び第２枠溝１１，１２ｃには、上記スクリーン８の後述する係止部材９が挿入されるスリット１３ａ，１３ｂを備えたインナーレール１４ａ，１４ｂがそれぞれ収容されている。また、上記可動枠３ｂの上下端にはキャップ３ｃ，３ｃが固定されており、該キャップ３ｃ，３ｃには、該可動枠３ｂの水平移動をガイドする凸状のレール部３ｄ，３ｄと、上記インナーレール１４ａ，１４ｂのスリット１３ａ，１３ｂに接続されて該キャップ３ｃ，３ｃを可動枠３ｂの長さ方向に貫通する連通溝３ｅ，３ｅとが形成されている。ただし、この連通溝３ｅ，３ｅは、上記スクリーン８の係止部材９の長さがインナーレール１４ａ，１４ｂの長さ以下である場合などには、必ずしも設けなくてもよい。
【００１６】
一方、上記横枠４，５は、図２に示すように、スクリーン８を間に介在させて上下対称となるように配置されたものであり、背面側の側壁が適宜の固定部材により窓枠Ｆに対して固定される横固定枠１０，１０と、該横固定枠１０，１０に対してその長さ方向の軸線Ｌ１，Ｌ２周りに回動自在に支持された開閉蓋３０，３０とからそれぞれ構成されている。
【００１７】
また、上記スクリーン８は、防虫ネット等の可撓性材料から成るもので、その４辺の周縁部８ａ〜８ｄの各端には、枠体６に対してスクリーン８を保持させるための係止部材９が取り付けられている。本実施形態において、該係止部材９は、例えば、複数の係合子をスクリーンの各周縁部８ａ〜８ｄに沿って一定の間隔で固定することにより形成されている。このとき、上記係止部材９は、その上記スクリーン８の周縁部８ａ〜８ｄに連結された基端９ａにおいて、スクリーン８の厚さ、上記インナーレール１４ａ，１４ｂにおけるスリット１３ａ，１３ｂの開口幅、及び上記連通溝３ｅの開口幅よりも大きい肉厚を有し、その先端側に向かって先細になるように形成されている。
【００１８】
そして、本実施形態においては、上記スクリーン８の縦方向に延びる周縁部８ａ，８ｂ及びそれらの係止部材９，９が、上記第１縦枠２におけるインナーレール１４ａのスリット１３ａ内、並びに、第２縦枠３における上記可動枠３ｂのインナーレール１４ｂ内及び連通溝３ｅ内にそれぞれ挿通されて、これら第１縦枠２及び可動枠３ｂにそれぞれ保持されている。一方、上記スクリーン８の横方向に延びる周縁部８ｃ，８ｄ及びそれらの係止部材９，９は、対応する横枠４，５における横固定枠１０，１０と開閉蓋３０，３０との間に挟持されることにより、枠体６に対して着脱自在に保持されている。すなわち、上記第１及び第２横枠４，５が、上記スクリーン８の周縁部８ｃ，８ｄをそれぞれ着脱自在に保持するためのスクリーン保持枠を成している。
【００１９】
次に、上記スクリーン保持枠としての横枠４，５についてより具体的に説明する。なお、図２に示すように、第１及び第２横枠４，５は実質的に同じ構造を有し、スクリーン８を間に介在させて上下対称に配置されていることから、以下においては、上側の第１横枠４について説明することとし、下側の第２横枠５については説明を省略する。
【００２０】
図３に示すように、上記横固定枠１０は、横断面において中空で正面側に開口した形状を成しており、窓枠Ｆに固定される上記背面側の側壁としての背面壁１６、該背面壁１６の外方向（スクリーン８とは逆方向）の端部から正面側に向けて延設された外側壁１７、及び上記背面壁１６から正面側に向けて立設された枠側ガイド部１８によって、一体に形成されている。そして、これら背面壁１６、外側壁１７、及び枠側ガイド部１８は、横固定枠１０の長さ方向、すなわち第１横枠４の長さ方向に沿って連続的に延びている。
【００２１】
上記外側壁１７は、背面壁１６から正面側に向かって垂直に延びた基端壁１７ａと、該基端壁１７ａの先端から枠体６の内側に向かって垂直に連なった垂直壁１７ｂと、この垂直壁１７ｂの先端から正面側に向かって垂直に連なった水平壁１７ｃとによって段状に形成されている。そして、この水平壁１７ｃの先端には、横固定枠１０の長手方向に延びて軸線Ｌ１を中心とする半筒状の内筒部２０が、正面側を開放させて設けられている。このとき、上記水平壁１７ｃの先端は内筒部２０の中間位置に連結されている。
【００２２】
上記枠側ガイド部１８は、上記外側壁１７よりも枠体６の内側において上記背面壁１６の内面から正面側に向けて水平に立設されたガイド部本体１８ａと、その先端から枠体６の外側に向かって垂直に立設された枠側垂直ガイド片１８ｂと、ガイド部本体１８ａの基端と先端との間に設けられ上記枠体６の内側に向かって立設されたガイド側壁１８ｃとを一体に備えている。このガイド側壁１８ｃは、上記背面壁１６との間に形成されたガイド溝１６ａに、上記可動枠３ｂのレール部３ｄを挿入することで、該可動枠３ｂの水平移動をガイドするためのものである。さらに、この枠側ガイド部１８には、上記枠体６の外側に向けて突設された第１及び第２突条２１ａ，２１ｂが設けられている。
【００２３】
一方で、背面壁１６の内面における上記枠側ガイド部１８よりも枠体６の外側には、正面側に向けて第３突条２１ｃが突設されている。そして、上記第２突条２１ｂ及び第３突条２１ｃと上記背面壁１６及び枠側ガイド部１８とによって区画された角部領域に、バネ部材としての板バネ２２の一端部が差し込まれて、該領域内において移動自在に保持されている。この板バネ２２は開閉蓋３０に対し軸線Ｌ１周りの付勢力を付与するためのものであり、本実施形態では、図１に示すように、第１横枠４の長さ方向における左右両側に一つずつ配置されている。
【００２４】
上記開閉蓋３０は、上記横固定枠１０とほぼ同じ長さと幅を有する蓋板３１と、該蓋板３１における上記枠体６の外側に位置する端部に設けられ、長さ方向に沿って一部開口した筒状を成す外筒部３２と、蓋板３１の内面から上記背面壁１６側に向けて立設されて、第１横枠４（すなわちスクリーン保持枠）の長さ方向に延びた蓋側ガイド部３３とによって一体に形成されている。このとき、上記外筒部３２は、その開口に上記水平壁１７ｃを位置させて上記内筒部２０に外嵌されており、これら内筒部２０と外筒部３２とから構成された回動部２５によって、上記開閉蓋３０が、軸線Ｌ１周りに閉位置（図３）と開位置（図７）との間で自在に回動できるようになっている。
【００２５】
また、外筒部３２の内面側には、板バネ２２の他端部を保持するためのバネ保持部３４が、軸線Ｌ１に沿って一体に形成されている。このバネ保持部３４は、外筒部３２の内面側に位置する先端部から枠体６に内側に向けて設けられた底壁３４ａと、底壁３４ａにおける上記枠体６の外側に位置する一端から背面側に向けて垂直に立設された第１部片３４ｂと、底壁３４ａにおける上記枠体６の内側に位置する他端から背面側に向けて垂直に立設された第２部片３４ｃとによって、その横断面が背面側に向かって開口する略Ｃ字型の溝状に形成されている。
【００２６】
このとき、上記第１部片３４ｂは、横断面において、その幅が第２部片３４ｃの幅よりも大きく形成されており、かつ、第１部片３４ｂの先端には、第２部片３４ｃ側に延びる突片３４ｄが形成されている。そして、上記板バネ２２の他端部が、これら底壁３４ａ、第１部片３４ｂ、第２部片３４ｃ、及び突片３４ｄによって区画された領域に差し込まれて、該領域内において移動自在に保持されている。その結果、上記板バネ２２が、上記横固定枠１０と上記開閉蓋３０との間において、正面側に常時凸状に湾曲した状態で保持されていて、その弾発力により、上記開閉蓋３０がその閉位置（図３）では軸線Ｌ１周りに閉方向に付勢され、その開位置（図７）では軸線Ｌ１周りに開方向に付勢されるようになっている。
【００２７】
さらに、上記蓋側ガイド部３３は、蓋板３１の内面３１ａから背面側に向けて垂直に立設された基端片３３ａと、基端片３３ａの先端から枠体６の外側に向けて垂直に立設された蓋側垂直ガイド片３３ｂと、蓋側垂直ガイド片３３ｂの先端から、該ガイド片３３ｂと垂直を成して背面側に向かって水平に延びた蓋側水平ガイド片３３ｃとにより一体に形成されている。
【００２８】
そして、このように開閉蓋３０を閉じた状態（図３）においては、上記蓋側ガイド部３３の基端片３３ａが、上記枠側ガイド部１８のガイド部本体１８ａに対して水平方向（正面方向）の延長線上に配されていて、上記蓋側垂直ガイド片３３ｂが、上記枠側ガイド部１８よりも正面側において、上記枠側垂直ガイド片１８ｂに沿って隣接しており、上記蓋側水平ガイド片３３ｃが、上記枠側ガイド部１８よりも枠体６の外側において、上記ガイド部本体１８ａに沿って背面方向に延びている。
【００２９】
このとき、スクリーン８における横方向に延びる端縁部８ｃ，８ｄは、図２及び図３に示すように、上記枠体６の内側から第１及び第２横枠４，５内にそれぞれ導入され、上記枠側垂直ガイド片１８ｂと蓋側垂直ガイド片３３ｂとの間に挟まれると共に、該枠側垂直ガイド片１８ｂの先端で上記蓋側水平ガイド片３３ｃにより、上記ガイド部本体１８ａに沿って背面方向（水平方向）へ直角に折曲され、さらに、該蓋側水平ガイド片３３ｃの先端が、上記係止部材９の基端９ａに当接することにより、該係止部材９をその基端９ａ側から先端側に向けて押圧している。その結果、スクリーン８は、上記第１及び第２横枠の間において、上下方向に適度な張力が付与された状態で張設されている。
【００３０】
以下に、枠体６に対するスクリーン８の張設方法ついて説明する。まず、上述のように、上記第１縦枠２に装着されたインナーレール１４ａのスリット１３ａ内、及び、上記第２縦枠３の可動枠３ｂに装着されたインナーレール１４ｂのスリット１３ｂ内に、上記スクリーン８の対応する周縁部８ａ，８ｂの係止部材９，９がそれぞれ挿入されて、該スクリーン８における水平方向の両端が第１縦枠２と第２縦枠３の可動枠３ｂとにそれぞれ係合により保持されたものを準備する。
【００３１】
次に、図５及び図６に示すように、上記第１及び第２横枠４，５の各開閉蓋３０，３０を開いて、上記可動枠３ｂの上下端に設けられたレール部３ｃ，３ｃを、上記横固定枠１０，１０のガイド溝１６ａ，１６ａ内にそれぞれ挿入した状態で、上記第１縦枠２、第２縦枠３の縦固定枠３ａ、並びに、上記第１及び第２横枠の横固定枠１０，１０の両端同士を相互に接続する。このとき、図７に示すように、上記板バネ２２におけるバネ保持部３４に保持された他端部が、該板バネ２２の一端と軸線Ｌ１（Ｌ２）との間を直線的に結ぶ仮想線Ｌ３よりも十分に正面側に離間して、上記開閉蓋３０に反時計回りのモーメントを作用させることができる位置に配されている。そのため、上記開閉蓋３０は、湾曲した板バネ２２の弾発力により、軸線Ｌ１（Ｌ２）周りに開方向に付勢されている。
【００３２】
そして、図５及び図６の状態から、上記可動枠３ｂを水平方向（図中右方向）にスライドさせて、図４に示すように、縦固定枠３ａの受け溝１２ａ内に収容し係止させることにより枠体６を形成する。そうすると、スクリーン８が、横方向（水平方向）に所定の適度な張力を付与された状態で、第１縦枠２と第２縦枠３との間に張設される。このとき、スクリーン８の横方向に延びる端縁部８ｃ，８ｄは、図７に示すように、それらの上記係止部材９，９を上記枠側ガイド部１８，１８よりも枠体６の外側に位置させて、各横枠４，５の横固定枠１０，１０と開状態の開閉蓋３０，３０との間に配置されている。
【００３３】
この状態から、上記各横枠４，５の開閉蓋３０，３０を、軸線Ｌ１，Ｌ２周りに回動させて、図２及び図３に示す閉状態にすると、上述したように、スクリーン８における横方向に延びる端縁部８ｃ，８ｄが、上記枠側垂直ガイド片１８ｂと蓋側垂直ガイド片３３ｂとの間に挟まれると共に、該枠側垂直ガイド片１８ｂの先端で上記蓋側水平ガイド片３３ｃにより、上記ガイド部本体１８ａに沿って背面方向へ直角に折曲される。そして、該蓋側水平ガイド片３３ｃの背面方向を向く先端が上記係止部材９の基端９ａに当接することにより、蓋側水平ガイド片３３が該係止部材９に係合して、該係止部材９をその基端９ａ側から先端側に向けて、すなわち背面方向に向けて押圧する。その結果、スクリーン８は、上記第１及び第２横枠の間において、上下方向に所定の適度な張力が均一に付与された状態で張設される。
【００３４】
そのとき、図３に示すように、板バネ２２におけるバネ保持部３４に保持された上記他端部が、該板バネ２２の上記一端と軸線Ｌ１（Ｌ２）との間を直線的に結ぶ仮想線Ｌ３よりも十分に背面側に離間して、上記開閉蓋３０に時計回りのモーメントを作用させることができる位置に配されている。そのため、上記開閉蓋３０は、湾曲した板バネ２２の弾発力により、軸線Ｌ１（Ｌ２）周りに閉方向に付勢されている。また、上記枠側ガイド部１８の第１突条２１ａが係止部材９のストッパとして機能することにより、開閉蓋３０を閉じた際に、必要以上の張力がスクリーン８に付与されるのを防止することができる。
【００３５】
このように、上記スクリーン装置１Ａにおいては、可動枠３ｂを縦固定枠３ａの受け溝１２ａ内に係止させて枠体６を組み立てた後に、上記第１及び第２横枠４，５の開閉蓋３０を閉じるという極めて簡単な作業により、スクリーン８を、縦方向と横方向とにそれぞれ所定の適度な張力を均一に付与した状態で、枠体６内に張設することができる。その結果、現場でスクリーン装置（網戸）１Ａを窓枠Ｆに装着するにあたって必要とされる作業時間をより短縮することが可能となる。
【００３６】
次に、図８に基づいて、本発明に係るスクリーン装置の第２実施形態を説明する。ただし、ここでは、主として上述した第１実施形態と相違している点について説明するに留め、実質的に共通する点については、重複を避けるため、説明を省略することとする。
【００３７】
第２実施形態のスクリーン装置１Ｂは、主として、回動部２５の構造、及び枠側ガイド部１８及び蓋側ガイド部３３の構造において、上記第１実施形態のスクリーン装置１Ａと相違している。この第２実施形態の回動部２５は、外周壁１７と蓋板３１とを連結する可撓性の折曲部５１によって形成されており、蓋板３１に回動方向の力を加えて折曲部５１の折曲角度を変化させることで、上記開閉蓋３０を開閉させることができるようになっている。このような折曲部５１は、開閉蓋３０を樹脂で一体成型するにあたり、該折曲部５１に対して、それに隣接する部位、すなわち外周壁１７及び蓋板３１よりも軟らかい樹脂を用いることにより形成することができる。
【００３８】
ここで、開閉蓋３０を横固定枠１０に係止させて閉状態に保持するために、本実施形態においては、上記蓋側ガイド部３３を構成する蓋側水平ガイド片３３ｃの先端に、鉤形の係止爪５２ａが枠体６の内側に向けて設けられ、また、ガイド部本体１８ａに、被係止突起４１が枠体６の外側に向けて立設されている。そして、図８（ｂ）に示すように、この開閉蓋３０を閉じたときに、係止爪５２ａが被係止突起４１に係合することで、その閉状態に保持されるようになっている。
【００３９】
また、上記蓋側水平ガイド片３３ｃには、上記スクリーン８の係合子９をその基端９ａ側から先端側に向けて押圧することにより、該スクリーン８に所定の張力を付与するための係合突部５２ｂが、枠体６の内側（ガイド部本体１８ａ側）に向けて突設されている。
この係合突部５２ｂは、開閉蓋３０を閉じた時に、該係合突部５２ｂが係合子９の基端９ａに正面側から当接して、該係合子９をその先端側（図８（ｂ）における左側、すなわちスクリーン保持枠の背面側）に向けて押圧するものである。
【００４０】
そのため、この第２実施形態であっても、第１実施形態と同様に可動枠３ｂを縦固定枠３ａの受け溝１２ａ内に係止させて枠体６を組み立てた後に、図８（ａ）及び図８（ｂ）に示すように、上記第１及び第２横枠４，５の開閉蓋３０を閉じるという極めて簡単な作業により、スクリーン８を、縦方向と横方向とにそれぞれ所定の適度な張力を均一に付与した状態で、枠体６内に張設することができる。その結果、現場でスクリーン装置（網戸）１Ｂを窓枠Ｆに装着するにあたって必要とされる作業時間をより短縮することが可能となる。
【００４１】
以上、本発明に係るスクリーン装置の実施形態について詳細に説明してきたが、本発明は上記各実施形態に限定されるものではなく、特許請求の範囲の趣旨を逸脱しない範囲で様々な設計変更が可能であることは言うまでもない。
例えば、上記各実施形態に係るスクリーン装置１Ａ，１Ｂにおいては、枠体６を構成する一対の縦枠２，３及び一対の横枠４，５のうち、一対の横枠４，５のみをスクリーン保持枠としているが、一対の縦枠２，３のみをスクリーン保持枠としてもよく、または、一対の縦枠２，３と一対の横枠４，５との双方をスクリーン保持枠としてもよい。
また、上述した各実施形態のスクリーン装置１Ａ，１Ｂでは、係止部材９として、複数の係合子を一定の間隔で並設して成るファスナ部材を用いているが、樹脂により一体成型されたファスナ部材を用いてもよい。
【符号の説明】
【００４２】
１Ａ，１Ｂ  スクリーン装置
２  第１縦枠
３  第２縦枠
３ａ  縦固定枠
３ｂ  可動枠
４  第１横枠（スクリーン保持枠）
５  第２横枠（スクリーン保持枠）
６  枠体
８  スクリーン
８ａ〜８ｄ  周縁部
９  係止部材
９ａ  基端
１０  横固定枠（固定枠）
１３ａ，１３ｂ  スリット
１４ａ，１４ｂ  インナーレール
１８  枠側ガイド部
１８ａ  ガイド部本体
１８ｂ  枠側垂直ガイド片
２０  内筒部
２２  板バネ（バネ部材）
２５  回動部
３０  開閉蓋
３２  外筒部
３３  蓋側ガイド部
３３ａ  基端片
３３ｂ  蓋側垂直ガイド片
３３ｃ  蓋側水平ガイド片
３４  バネ保持部
４１  被係止突起
５１  折曲部
５２ａ  係止爪
５２ｂ  係合突部
Ｌ１，Ｌ２  軸線
Ｆ  窓枠
【図１】
2018111924.tif 000003
【図２】
2018111924.tif 000004
【図３】
2018111924.tif 000005
【図４】
2018111924.tif 000006
【図５】
2018111924.tif 000007
【図６】
2018111924.tif 000008
【図７】
2018111924.tif 000009
【図８】
2018111924.tif 000010